(57)【特許請求の範囲】
【請求項１】
水栓本体内を挿通したホースの先端に、吐水口を有する吐水具が接続され、前記水栓本体と前記吐水具が着脱自在である水栓装置であって、
前記吐水具は、吐水具ケーシングと、前記吐水具ケーシング内に収納された前記ホースを接続するためのインナー部材と、を具備し、
前記水栓本体の先端面と前記吐水具の後端部のいずれか一方に凸部と、その他方に前記凸部に嵌合する凹部と、を備え、
前記吐水具の吐水口を上向きで、前記水栓本体へ装着する場合は、前記凸部と前記凹部は嵌合を阻害され、前記吐水口から吐水した水が、吐水具ケーシング内に侵入した場合に、前記吐水具外部へ排水する水抜き孔を前記吐水具の後端部に設けたことを特徴とする水栓装置。
【請求項２】
前記吐水具外部へ排水する水抜き孔が、前記凹部であることを特徴とする請求項１記載の水栓装置。
【請求項３】
前記インナー部材後端面であって、前記水抜き孔と前記ホースを挟んで対向する位置に切欠き部を設けたことを特徴とする請求項１または２記載の水栓装置。
【請求項４】
前記水栓本体の先端面に前記ホースに対して下方鉛直方向位置に溝部を備え、前記吐水具の吐水口を上向きに前記水栓本体と装着した場合、前記水抜き孔から前記溝部へと排水することを特徴とする請求項１乃至３の何れか１項に記載の水栓装置。
【発明の詳細な説明】
【技術分野】
【０００１】
本発明は、洗面所や台所に設置される水栓本体と吐水具の先端部とが離反するシャワーヘッドを具備した水栓装置に係り、特に使用者が吐水口を上向きに水栓本体に付設した場合であっても、洗面所或いは台所のキャビネット内に水の浸入がない水栓装置に関するものである。 
【背景技術】
【０００２】
例えば、従来より、洗面ボウル全体を清掃するために水栓金具本体からシャワーヘッドを引張することができる、プルアウト式の水栓装置は公知である。
一例として特許文献１に示されるような水栓装置が提案されている。この先行技術においては、使用者がうがいをする目的で吐水口を上向きに取り付ける場合がある。その際、
上向き吐水であるが故に、吐水口周囲への水の流れ落ちを抑えるために、吐水口内に整流板を設けている。
このような場合、使用者が流量を抑えて吐水口を上に向けた場合には、流水の形態が円柱状にならないため、吐水した水が吐水口周囲へ流下するため、吐水口周囲への水の流れ落ちを抑えることができず、最悪の場合は、水栓本体内に水が浸入し、洗面所のアンダーカウンター内を濡らしてしまう可能性があるという問題があった。
【０００３】
また、特許文献２に示されるような水栓装置も提案されている。この水栓装置においては、水栓のホルダー部に、シャワーホースを伝わり流下する水滴を吸収可能な多孔質素材が装着されていることにより、シャワーホースを伝わり流下する水滴が良好に多孔質素材に吸収されて水栓内部に水が浸入することがなく、水滴の浸入によるキャビネット内の腐敗を良好に防止することができるものである。
しかし、このような場合も、水栓のホルダー部に装着した多孔質素材にカビが発生すること、吐水具の引出し操作力が大きくなったり、また、シャワーホースに連結された吐水具をホルダー部に収納するのが困難となる。さらに組立工程が煩雑になりコストアップになる等の問題があった。 
【特許文献１】実開平３−１２２１６５号公報
【特許文献２】実開平２−６２９５６号公報
【発明の開示】
【発明が解決しようとする課題】
【０００４】
本発明は、上記問題を解決するためになされたもので、本発明の課題は、使用者が吐水口を上向きに水栓本体に付設した場合であっても、洗面所或いは台所のキャビネット内に水の浸入がない水栓装置提供することを目的とするものである。
【課題を解決するための手段】
【０００５】
上記目的を達成するために請求項１記載の発明によれば、水栓本体内を挿通したホースの先端に、吐水口を有する吐水具が接続され、前記水栓本体と前記吐水具が着脱自在である水栓装置であって、
前記吐水具は、吐水具ケーシングと、前記吐水具ケーシング内に収納されたホースを接続するためのインナー部材を具備し、
前記水栓本体の先端面と前記吐水具の後端部のいずれか一方に凸部と、その他方に凸部に嵌合する凹部を備え、
前記吐水具の吐水口を上向きで、前記水栓本体と前記吐水具を装着する場合は、前記凸部と前記凹部は、嵌合を阻害され、前記吐水口から吐水した水が、吐水具ケーシング内に侵入した場合に、前記吐水具外部へ排水する水抜き孔を前記吐水具の後端部吐水具に設けたこととした。
これにより、吐水具の吐水口を上向きで、水栓本体と前記吐水具を装着する場合は、水栓本体の先端面と吐水具の後端部との間に隙間が生じて、水栓本体から排水された水が、ホース伝わる前に確実に吐水具外へ排水することができるため、水がホースを伝わって水栓本体に至りカウンター内を濡らすということがないという効果を奏する。
【０００６】
また、請求項２記載の発明のよれば、前記吐水具外部へ排水する水抜き孔が、前記凹部であることを特徴とした。
これにより、吐水口を下向きで水栓本体と吐水具を装着する場合の回転規制である凹部を水抜き孔として兼用することができ、デザイン性が向上するという効果を奏する。
【０００７】
また、請求項３記載の発明によれば、前記インナー部材ろ端面であって、前記水抜き孔と前記ホースを挟んで対向する位置に切欠き部を設けたことを特徴とした。
これにより、吐水具ケーシングとインナー部材を嵌合させたときに、両者の間に隙間ができ、水抜き孔からの排水時に隙間から大気を吸入してエアー交換を促進させ、吐水具外への排水効果を増幅させるという効果を奏する。
【０００８】
また、請求項４記載の発明によれば、前記水栓本体の先端面に前記ホースに対して下方鉛直方向位置に溝部を備え、前記吐水具の吐水口を上向きに前記水栓本体と装着した場合、前記水抜き孔から前記溝部へと排水することとした。
これにより、排水量が増えた場合であっても、吐水具と水栓本体との間により大きな縁切りのための溝部（空間）ができるため、その部分から、確実に水をカウンター上面に落下させることができるため、水がホースを伝わってカウンター内を濡らすということがない、という効果を奏する。
【発明の効果】
【０００９】
本発明によれば、使用者が吐水口を上向きに水栓本体に付設した場合であっても、洗面所或いは台所のキャビネット内に水の浸入がない水栓装置提供することができるという効果を奏する。
【発明を実施するための最良の形態】
【００１０】
本発明における第一実施形態の水栓装置について図１乃至図７を用いて説明する。図１は第一実施形態の水栓装置を洗面化粧台に取付けた状態を示した図、図２は第一実施形態の水栓装置の断面側面図を示した図、図３は第一実施形態の水栓装置における吐水具を構成する部材の分解斜視図、図４は図２の状態で吐水具を水栓本体側からみた斜視図、図５は吐水口を上向きにして吐水具を取付けたときの水栓装置を示した断面側面図、図６は図５の状態で吐水具を水栓本体側からみた斜視図、図７は吐水具内に水が浸入したときの水の流れを示した断面斜視図である。
【００１１】
本発明の水栓装置１０は図１に示すように、主として水栓本体１１と、湯、水の吐止水、温度を調整するための操作ハンドル１２と、操作ハンドル１２の操作によって所望の温度、量の湯水が通水される可撓性のホース１４と、湯水が吐水され、水栓本体１１に対して着脱自在な吐水具３０とで構成され、洗面化粧台やカウンター等の平面部に取り付けられる。
【００１２】
図２に示すように水栓本体１１は黄銅材を用いた鋳物品であり、外観が略円筒状で外観表面には光沢を有するクロムメッキが施されている。
水栓本体１１の内部にはディスクバルブ（図示しない）を用いて湯、水の混合比率を調整する周知の弁ユニット１３が収納され、この弁ユニット１３の下部には給水管、給湯管（何れも図示しない）が接続されている。弁ユニット１３の上部には押え部材１５が水栓本体１１に螺合され弁ユニット１３を押えて水栓本体１１に固定している。さらに弁ユニット１３の上方には湯水の吐水量、温度調整を操作する操作ハンドル１２が取り付けられている。
【００１３】
水栓本体１１の正面側には吐水具３０を保持するホルダー部２１を具備する。尚、水栓本体と、ホルダー部２１は、一体、別体どちらでもよい。ホルダー部２１の内部にはホース１４が挿通されるホース挿通口２２が設けられ、その内周面には雌ねじ部２２ａが形成されている。また、ホルダー部２１の先端面２９にはホース挿通口２２の上方に先端面２９より突出した凸部２３、下方には先端面２９より凹んだ溝部２４が設けられている。（図１）
尚、溝部２４は、ホルダー部２１０の先端面２９ホース１４に対して下方鉛直方向位置に設けている。
【００１４】
ホース挿通口２２にはホース１４の引出しをスムーズに行うためのホースガイド２５が接続される。
ホースガイド２５は略円筒状で、一方の端部外周には雄ねじ部２５ａと、先端側には後述する板バネ７１が係合される係合溝２５ｂが設けられている。ホースガイド２５の内部はホース１４が挿通される挿通路（図示しない）が形成されている。
【００１５】
ホース１４は可撓性を有する周知の金属管を用い、吐水具３０側の端部はホース継手１４ａを取り付ける。ホース継手１４ａにはＯリング１４ｂが設けられている。
【００１６】
吐水具３０は、図３に示すように主にホース１４と接続され湯水が流れるインナー部材３１と、インナー部材３１を収容する吐水具ケーシング４１と、湯水が吐水される吐水口を有する吐水口ユニット５０と、湯水を一時的に吐水、止水するための開閉弁ユニット６０で構成されている。
【００１７】
インナー部材３１は、ホース１４が接続されるとともに湯水が流れる内部通路３２と、先端側に開閉弁ユニット６０を取付けるためのユニット収容部３３と、インナー部材３１の中央付近には内部通路３２から吐水口ユニット５０へ連通する通水孔３４が設けられている。
【００１８】
インナー部材３１の外周面３１ａには所定の位置に本体フランジ３５と、本体フランジ３５から後端側の端面へ軸線方向に沿って延びるリブ３６と、後述する板バネ７１を収容する板バネ収容部３７と、板バネ７１の頂部７１ａが内部通路３２に突出するための板バネ開口部３８が設けられている。
通水孔３４の近傍にはインナー部材３１の外周面３１ａより突出し、内周に雌ねじ部（図示しない）が形成された本体突出部３９が設けられている。
【００１９】
本体フランジ３５は後述する吐水具ケーシング４１の内周面の内径よりやや小さい外径で、取付けた際に本体フランジ３５と吐水具ケーシング４１の間に隙間が確保されている。本体フランジ３５の下半周部３５ｂは上半周部３５ａに比べ幅広く形成されており、下半周部３５ｂには内部通路３２と連通する固定開口部３５ｃが設けられている。
【００２０】
リブ３６は、外周面３１ａの対向する位置に２本（図３では１本）設けられ、リブ３６の先端には吐水具ケーシング４１に対し摺接するとともに、インナー部材３１の回転を防止するための突起３６ａが設けられている。
【００２１】
板バネ収容部３７は本体フランジ３５の下半周部３５ｂから後端面へ軸線方向にガイド壁３７ａと底面部（図示しない）が形成され、外周面３１ａとガイド壁３７ａの間に板バネ７１が収容される。尚、板バネ７１はステンレスのバネ鋼材を用い略Ｖ字状に形成されたものを使用する。
【００２２】
また、板バネ７１がインナー部材から脱落するのを防止するためインナー部材３１の後端側から板バネカバー７２が取り付けられるようになっている。
板バネカバー７２はドーナツ状の底面部７２ａに板バネ収容部３７を挟みこむように２本の突出部７２ｂが２箇所設けられている。また、底面部７２ａには水栓本体１１に設けた凸部２３と嵌合する凹部であり、水抜きも可能とする水抜き孔７２ｃが設けられている。（図３、図４）
【００２３】
吐水具ケーシング４１は略円筒状に形成され、先端側の外周に軸線に対し略直角方向に突出する開口孔部４２と、開口孔部４２と同じ方向の外周面にホース固定具７３を挿入するための開口長孔４３が設けられている。（図３、図６）
吐水具ケーシング４１の後端側の内周面にはインナー部材３１の回転を防止するためのケーシング突起（図示しない）が所定の距離を隔てて２本設けられている。
【００２４】
吐水口ユニット５０は、泡沫吐水とシャワー吐水させる吐水口本体５１と、吐水口本体５１の内部に収納され、吐水口本体５１の位置を上下方向に可変させる吐水内筒５２と、吐水内筒５２とインナー部材３１を接続するための吐水口継手５３と、泡沫吐水とシャワー吐水の流路を切換えるための切換弁体５４で構成されている。（図３）
【００２５】
開閉弁ユニット６０は、押ボタン６１の操作によって湯水の吐水を一時的に吐水、止水状態に維持するものであり、ダイヤフラム式の主弁６２をパイロット弁体６３の操作で開閉する周知の開閉弁ユニットを用いている。（図２）
【００２６】
このように構成された吐水具３０は以下のようにして組み立てられる。
まず、インナー部材３１の板バネ開口部３８に板バネ７１の頂部７１ａを挿入して板バネ７１を板バネ収容部３７に取り付け、板バネカバー７２をインナー部材３１の後端側に取り付ける。このとき、図４に示すように板バネカバー７２は水抜き孔（凹部）７２ｃが上側になるようにして取り付ける。
【００２７】
そして、インナー部材３１の後端側を吐水具ケーシング４１の先端側から所定の位置まで挿入すると、リブ３６に設けた突起３６ａが吐水具ケーシング４１の内周面に摺接してインナー部材３１が吐水具ケーシング４１に仮固定される。また、吐水具ケーシング４１の内周面に設けた２本のケーシング突起（図示しない）内に突起３６ａが位置するようになっているため、回転方向に対するインナー部材３１の動きを規制することができる。
【００２８】
次に、吐水口ユニット５０の組立ては、吐水口本体５１に吐水内筒５２をセットして吐水内筒５２の内部に吐水口継手５３を挿入する。そして、吐水口本体５１の泡沫吐水孔５１ａから切換弁体５４を挿入し、吐水内筒５２、吐水口継手５３を介して切換弁体５４に設けた雄ねじ部（図示しない）を本体突出部３９の内周に形成した雌ねじ部（図示しない）に螺合して取り付ける。そして、泡沫吐水孔５１ａに整流網（図示しない）を備えた泡沫キャップ５６を取り付けて吐水口ユニット５０がインナー部材３１に取り付けられる。
さらに、インナー部材３１の先端側に開閉弁ユニット６０を取り付けて吐水具３０が組み立てられる。最後に、ホース１４の先端に取り付けたホース継手１４ａをインナー部材３１に挿入した後、ホース固定具７３を開口長孔４３に挿入して吐水具３０にホース１４が固定される。
【００２９】
上記のように構成された第一実施形態の水栓装置１０は、洗面化粧台やカウンター等の平面部に設けた開口孔（図示しない）の上方から水栓本体２に取り付けた台座（図示しない）を挿入し、洗面化粧台やカウンター等の裏側から締結具（図示しない）を用いて水栓本体１１を固定する。そして、水栓本体１１に取り付けられたホースガイド２５にホース１４を挿通して水栓本体１１内の弁ユニット１３に接続して、吐水具３０を水栓本体１１に取り付ける。
取付ける際、インナー部材３１の内部通路３２にホースガイド２５が挿入され、板バネ７１がホースガイド２５の係合溝２５ｂに係合されるので、節度感のある取付けができるとともに、吐水具３０が水栓本体１１に対して強固に保持される。
また、水栓本体１１のホルダー部２１には、ホースガイド２５の外周面に位置し、ホース１４の中心線に対して垂直方向に接する面である先端面２９に、凸部２３を設け、吐水具３０には、ホース１４の外周面に位置し、ホース１４の中心線に対して垂直方向に接する面である後端面（吐水具３０の板バネカバー７２）に水抜き孔（凹部）を設ける。
吐水口本体５１を下向きにした場合は、凸部２３と水抜き孔（凹部）７２ｃが嵌合するようになっており、水栓本体１１のホルダー部２１の先端面２９と、吐水具３０の後端面は、当接される。
【００３０】
このようにして取付けられた水栓装置１０は操作ハンドル１３を上側に操作すると湯、水が弁ユニット１３で混合されホース１４を通って吐水具３０から吐水される。
吐水具３０は泡沫吐水またはシャワー吐水と吐水形態を切換えることができ、吐水口本体５１を右側に回転させると、吐水口本体５１が下降して内部の弁座５１ｂが切換弁体５４に当接する。それによって泡沫キャップ５６側への湯水の流れを止めると同時に、シャワー吐水孔５１ｃへ湯水が流れてシャワー吐水される。吐水口本体５１を左側へ回転させると、吐水口本体５１が上昇して弁座５１ｂが切換弁体５４から離れて泡沫キャップ５６側へ湯水が流れて泡沫吐水されるようになっている。
【００３１】
ここで、本発明の水栓装置１０で使用者が口を漱ぐような場合には、図５に示すように吐水口本体５１を上向きに回転させて吐水具３０を水栓本体１１に取り付けられる。
本発明の水栓装置１０で、吐水具３０を上向きに取り付ける場合、図５に示すように吐水具３０の板バネカバー７２の底面部７２ａと水栓本体２の凸部２３とが装着して嵌合を阻害され、吐水具３０と水栓本体１１に隙間が生じた状態で保持される。
【００３２】
このような状態で湯水を吐水させると、吐水口本体５１と吐水具ケーシング４１の開口孔部４２から湯水が浸入することがある。吐水具ケーシング４１内に湯水が浸入した場合、図７に示すように湯水はインナー部材３１、吐水具ケーシング４１の内周面を伝って板バネカバー７２の方へ流れていく。
そして、水抜き孔７２ｃを通って吐水具ケーシング４１の外部へと流れ出るようになっている。そのため、吐水具ケーシング４１内に浸入した湯水がホース継手１４ａ、ホース１４を伝って水栓本体１１の内部に浸入することを防止できる。
また、インナー部材３１と吐水具ケーシング４１とは部分的に隙間が生じるように設定されているので、吐水具ケーシング３１は常に外気と通じた状態にある。そのため、吐水具ケーシング３１内に浸入した水を効率よく排水することができる。
【００３３】
また、吐水具ケーシング４１内に浸入する湯水の量が多くなった場合でも排水される湯水は水栓本体１１に設けた溝部２４によって、湯水は下方向に流れて洗面ボウル（図示しない）内に落ちるので、水栓本体１１の周囲に水が伝い流れることを防止できる。
さらに、吐水具ケーシング４１内に浸入した湯水が、残留するようなことなく衛生的にも良好である。
【００３４】
次に第二実施形態における水栓装置について図８乃至図１２を用いて説明する。図８は第二実施形態における水栓装置の断面側面図、図９は第二実施形態における水栓装置の吐水具を構成する部材の分解斜視図、図１０は吐水口を上向きにして吐水具を取付けたときの水栓装置を示した断面側面図、図１１は図１０の状態で吐水具を水栓本体側からみた斜視図、図１２は吐水具内に水が浸入したときの水の流れを示した断面斜視図である。
【００３５】
図８に示すように第二実施形態における水栓装置１１０は、水栓本体１１１の内部には第一実施形態と同様、弁ユニット１３が収納され、給水管、給湯管（何れも図示しない）が弁ユニット１３に接続される。弁ユニット１３の上部には押え部材１５が取り付けられ、その上方には操作ハンドル１２が取り付けられる。
【００３６】
水栓本体１１１のホルダー部１２１には第一実施形態と同様にホースガイド２５が取り付けられる。そして、ホースガイド２５の上部には第一実施形態と異なり、凹部１２６が設けられている。尚、第一実施形態同様水栓本体１１１とホルダー部１２１は、一体、別体どちらでもよい
【００３７】
図９に示すように吐水具１３０は、インナー部材１３１と、吐水具ケーシング１４１と、吐水口本体１５１で構成されている。
【００３８】
インナー部材１３１は、ホース１４が接続されるとともに湯水が流れる内部通路１３２と、先端の下方向に吐水口本体１５１へ連通する通水孔部１３４が設けられている。
【００３９】
インナー部材１３１の後端面には、吐水具ケーシング１４１内を覆い隠すためのカバー壁１３３が設けられている。そして、インナー部材１３１の外周面１３１ａには、カバー壁１３３から側面視で台形状のリブ１３３ｃが設けられている。また、外周面１３１ａの側面には板バネ７１を収容する板バネ収容部１３７と、板バネ７１の一部が内部通路１３２に突出するための板バネ開口部１３８が設けられている。
インナー部材１３１の外周面１３１ａで通水孔部１３４と同方向には外周面１３１ａより突出した本体突出部１３９が設けられ、内部には雌ねじ部（図示しない）が形成されている。
【００４０】
カバー壁１３３は、後述する吐水具ケーシング１４１の開口部内（図示しない）を覆い隠す形状としているが、カバー壁１３３の上部には吐水具ケーシング１４１と隙間（水抜き孔）を形成するためにストレート部１３３ａが設けられ、下部にも吐水具ケーシング１４１と隙間（エア置換部）を形成するように水抜き孔１３５とホース１４を挟んで対向する位置に切欠き部１３３ｂが設けられている。また、カバー壁１３３の後端面には内部通路１３２の上部にホルダー部１２１に設けた凹部１２６と嵌合するための凸部１６１が設けられている。
【００４１】
吐水具ケーシング１４１は外観が略嘴形状を有し、下面側には吐水口本体１５１を取り付けるための開口孔１４２と、ホース１４を固定するための固定孔１４３が設けられている。
【００４２】
このように構成された吐水具１３０は以下のようにして組み立てられる。
まず、インナー部材１３１の板バネ開口部１３８に板バネ７１の頂部７１ａを挿入して板バネ７１を板バネ収容部１３７に取り付ける。そして、インナー部材１３１の先端側から吐水具ケーシング１４１に挿入すると、インナー部材１３１のリブ１３３ｃと吐水具ケーシング１４１の内周面が摺接して、インナー部材１３１が吐水具ケーシング１４１に仮固定される。このとき、吐水具ケーシング１４１とカバー壁１３３との間に上下２箇所の隙間が生じ、上部には水抜き孔１３５、下部にはエア置換部１３６が形成される。
尚、水抜き孔１３５の開口面積は吐水口本体１５１と吐水具ケーシング１４１との間に生じる隙間の面積より大きく形成して排水効率を良好にしている。
【００４３】
次に、吐水口本体１４２に整流ユニット１５２、パッキン１５３をセットして、吐水口本体１５１を通水孔部１３４に取り付けて吐水具１３０が組み立てられる。
最後に、ホース１４の先端に取り付けたホース継手１４ａをインナー部材１３１に挿入した後、ホース固定ねじ（図示しない）を固定孔１４３から挿入して吐水具１３０にホース１４が固定される。
【００４４】
第二実施形態の水栓装置１１０は、洗面化粧台やカウンター等の平面部に設けた開口孔（図示しない）の上方から水栓本体１１１に取り付けた台座（図示しない）を挿入し、洗面化粧台やカウンター等の裏側から締結具（図示しない）を用いて水栓本体１１１を固定する。そして、水栓本体１１１に取り付けられたホースガイド２５にホース１４を挿通して水栓本体１１１内の弁ユニット１３に接続して、吐水具１３０を水栓本体１１１に取り付ける。
取付ける際、インナー部材１３１の内部通路１３２にホースガイド２５が挿入され、板バネ７１がホースガイド２５の係合溝２５ｂに係合されるので、節度感のある取付けができるとともに、吐水具１３０が水栓本体１１１に対して強固に保持される。
また、水栓本体１１１のホルダー部１２１には、ホースガイド２５の外周面に位置し、ホース１４の中心線に対して垂直方向に接する面である先端面１２９に、凹部１２６を設け、吐水具１３０には、ホース１４の外周面に位置し、ホース１４の中心線に対して垂直方向に接する面である後端面（吐水具１３０のカバー壁１３３）に凸部１６１を設ける。
吐水口本体１５１を下向きにした場合は、凹部１２６と凸部１６１が嵌合するようになっており、水栓本体１１０のホルダー部１２１の先端面１２９と、吐水具１３０の後端面は、当接される。
【００４５】
このようにして取付けられた水栓装置１１０は操作ハンドル１２を上側に操作すると、湯、水が弁ユニット１３で混合されホース１４を通って吐水具１３０から吐水される。
【００４６】
ここで、洗面化粧台に用いられる水栓装置１１０は、使用者が口を漱ぐような場合に吐水口本体１５１を上向きに回転させて吐水具１３０を水栓本体１１１に取り付けられるようになっている。
第二実施形態における水栓装置１１０では、図１０に示すように吐水具１３０のカバー壁１３３に設けた凸部１６１が水栓本体１１１のホルダー部１２１先端面１２９に装着して嵌合が阻害され、吐水具１３０と水栓本体１１１の間に隙間が生じて吐水具１３０が水栓本体１１１に保持される。
【００４７】
このような状態で湯水を吐水させると、吐水口本体１５１と吐水具ケーシング１４１の隙間から湯水が浸入することがある。吐水具ケーシング１４１内に湯水が浸入した場合、図１２に示すように湯水はインナー部材１３１と吐水具ケーシング１４１の間を伝って、カバー壁１３３の方へ流れていく。そして、カバー壁１３３と吐水具ケーシング１４１の間に生じた隙間が水抜き孔１３５となって、吐水具ケーシング１４１の外部へと流れ出るようになっている。
また、吐水具ケーシング１４１内に浸入する湯水の量が多くなった場合でもエア置換部１３６を設けているので排水効率が良く、吐水具ケーシング１４１内に湯水が溜まりホース１４を伝って水栓本体１１１内への湯水の浸入を防止できる。
さらに、吐水具ケーシング１４１内に浸入した湯水が残留するようなことがないので衛生的にも良好である。
【図面の簡単な説明】
【００４８】
【図１】第一実施形態の水栓装置を洗面化粧台に取付けた状態を示した取付状態図
【図２】第一実施形態の水栓装置の断面を示した断面側面図
【図３】第一実施形態の水栓装置における吐水具を構成する部材の分解斜視図
【図４】図２の状態で吐水具を水栓本体側からみた斜視図
【図５】吐水口を上向きにして吐水具を取付けたときの水栓装置を示した断面側面図
【図６】図５の状態で吐水具を水栓本体側からみた斜視図
【図７】吐水具内に水が浸入したときの水の流れを示した断面斜視図
【図８】第二実施形態における水栓装置の断面側面図
【図９】第二実施形態における水栓装置の吐水具を構成する部材の分解斜視図
【図１０】吐水口を上向きにして吐水具を取付けたときの水栓装置を示した断面側面図
【図１１】図１０の状態で吐水具を水栓本体側からみた斜視図
【図１２】吐水具内に水が浸入したときの水の流れを示した断面斜視図
【符号の説明】
【００４９】
１０，１１０…水栓装置
１１，１１１…水栓本体
１４…ホース
２１，１２１…ホルダー部
２３，１６１…凸部
２４…溝部
３０，１３０…吐水具
３１，１３１…インナー部材
４１，１４１…吐水具ケーシング
５１，１５１…吐水口本体
７２ｃ…水抜き孔（凹部）
１２６…凹部
１３５…水抜き孔
１３６…隙間（エア置換部）
【図１】
0004655312.tif 000002
【図２】
0004655312.tif 000003
【図３】
0004655312.tif 000004
【図４】
0004655312.tif 000005
【図５】
0004655312.tif 000006
【図６】
0004655312.tif 000007
【図７】
0004655312.tif 000008
【図８】
0004655312.tif 000009
【図９】
0004655312.tif 000010
【図１０】
0004655312.tif 000011
【図１１】
0004655312.tif 000012
【図１２】
0004655312.tif 000013